(57)【要約】【課題】  住宅の玄関の扉を遠隔操作にて解錠した際に、住宅のセキュリティの向上を図りつつ、外来者がその住宅に居る住人に会うことができるようにする。【解決手段】  住人が外来者を確認した後、自身の居る部屋の操作ユニット２０を操作すると、操作ユニット２０は、自装置の部屋識別情報を含む解錠信号を生成して出力する。解錠信号を入力すると、解錠信号に含まれる部屋識別情報に関連付けられている解錠扉識別情報および施錠扉識別情報を取得し、玄関扉施錠装置１５が玄関扉を解錠し、解錠扉識別情報により特定される部屋扉施錠装置４０が部屋扉を解錠し、施錠扉識別情報により特定される部屋扉施錠装置４０が部屋扉を施錠する。これにより、外来者は、住人の居る部屋までを通る際に施錠された扉に阻まれることがなくなり、入る必要のない部屋の扉を開けることができないため、その部屋に入ることができなくなる。【選択図】        図１
2011032711.tif 000002
【特許請求の範囲】
【請求項１】
住宅の玄関の扉に設置され、前記玄関の扉に対して施解錠する玄関扉施錠装置と、
前記住宅の所定の部屋の扉にそれぞれ設置され、前記部屋の扉に対してそれぞれ施解錠する部屋扉施錠装置と、
前記部屋の中に設置され、前記玄関の扉を解錠するための解錠操作部と、
前記解錠操作部が操作された場合に、前記玄関扉施錠装置を動作させて前記玄関の扉を解錠し、前記玄関から解錠操作部が操作された部屋へ向かう際に通る部屋の部屋扉施錠装置を動作させてその部屋の扉を解錠して、前記玄関から解錠操作部が操作された部屋へ向かう際に通らない部屋の部屋扉施錠装置を動作させて、その部屋の扉を解錠する制御部と、
を備えたことを特徴とする住宅システム。
【発明の詳細な説明】
【技術分野】
【０００１】
本発明は、住宅システムに関し、特に住宅内の扉を施錠したり解錠したりするための施錠装置を備えた住宅システムに関する。
【背景技術】
【０００２】
従来、住宅の玄関の扉には、玄関の扉を施錠したり解錠したりするための施錠装置が設けられている。また、住宅のセキュリティの向上を図るために、玄関の扉は、住人が住宅内に居ても施錠されていることが多い。玄関の扉が施錠されている状態で、宅配業者や訪問客などの外来者が住宅を訪れて呼び鈴などを操作した場合に、住人は玄関に向かい、施錠装置を操作して玄関の扉を解錠する。これにより、住宅を訪れた外来者は、玄関の扉を開けて住宅内に入ることができ、住宅内に居る住人と対面して荷物を手渡したり、住人に会ったりすることができる。
【０００３】
ところで、多忙などの理由により玄関まで行くことができない住人は、外来者が住宅を訪れて呼び鈴などを操作しても、玄関に向かうことができないため、施錠装置を操作して玄関の扉を解錠することができなかった。そのため、住人が自身の居る場所（例えば、台所など）から玄関の扉に設置されている施錠装置を遠隔操作して解錠する技術が望まれていた。
【０００４】
このように、玄関の扉に設置されている施錠装置を遠隔操作により解錠する技術として、特許文献１に記載の技術などが知られている。この特許文献１に記載の住戸監視制御装置は、住戸の内と外とを仕切る外扉を施錠する外扉施錠装置、外扉の内側に設置されている内扉を施錠する内扉施錠装置、外扉施錠装置や内扉施錠装置を制御する中央制御装置を備えている。そして、玄関付近に設置されているカメラ付きドアホンからの呼び出しに対して、住人がカメラによって撮影された画像により住戸を訪れた外来者を確認すると、住人は自身が携行している携帯端末装置を操作する。携帯端末装置が操作されると、携帯端末装置から遠隔指示が通信回線を介して中央制御装置へ伝えられ、中央制御装置は、外扉施錠装置を制御して外扉の解錠を行うとともに、内扉施錠装置を制御して内扉の施錠を行うようにしている。これにより、外来者は、外扉を開けて住戸内に入ることができる。また、内扉が施錠されているので、外来者が入ることができる領域を外扉と内扉との間の領域に限定することができ、住戸のセキュリティの向上を図ることができる。
【０００５】
ところで、特許文献１に記載の技術では、住人は住戸の外部から外扉施錠装置および内扉施錠装置を遠隔操作している。これを住戸内に居る住人に適用すると、玄関まで行くことができない住人が玄関の扉に設置されている施錠装置を遠隔操作して解錠することができるようになる。しかしながら、特許文献１に記載の技術では、内扉を施錠するので、外来者が入ることができる領域を限定することができるものの、住人が居る部屋の入り口に内扉があれば、外来者が住人の居る部屋に行けなくなり、外来者が住人に会うことができなくなってしまうという問題があった。
【先行技術文献】
【特許文献】
【０００６】
【特許文献１】特開平１０−２８３５８５号公報
【発明の概要】
【発明が解決しようとする課題】
【０００７】
本発明は、このような問題を解決するために成されたものであり、住宅の玄関の扉を遠隔操作にて解錠した際に、住宅のセキュリティの向上を図りつつ、外来者がその住宅に居る住人に会うことができるようにすることを目的とする。
【課題を解決するための手段】
【０００８】
上述した課題を解決するために、本発明の集合住宅監視システムでは、各部屋に玄関の扉を解錠するための解錠操作部を設置し、解錠操作部が操作された場合に、玄関の扉および玄関から解錠操作部が操作された部屋までの扉を解錠して、それ以外の扉を施錠するようにしている。
【発明の効果】
【０００９】
上記のように構成した本発明では、玄関の扉に対して解錠操作が行われると、玄関の扉、および、外来者が玄関から住人の居る部屋へ向かう際に通るであろう扉が解錠される。これにより、住宅を訪れた外来者は、玄関から目的地である住人の居る部屋までを通る際に施錠された扉に阻まれることがなくなる。従って、外来者は住宅に居る住人に会うことができる。また、外来者が玄関から住人の居る部屋へ向かう際に通らないであろう扉が施錠される。これにより、住宅を訪れた外来者は、入る必要のない部屋の扉を開けることができないため、その部屋に入ることができなくなる。従って、住宅のセキュリティの向上を図ることができる。
【図面の簡単な説明】
【００１０】
【図１】本実施形態による住宅システムの構成例を示すブロック図である。
【図２】本実施形態による住宅システムの各構成要素を設置した住宅の間取り例を示す説明図である。
【図３】本実施形態による住宅システムの制御装置の記憶部の記憶内容例を示す説明図である。
【図４】本実施形態による住宅システムの各構成要素を設置した住宅の部屋の扉を施解錠した状態例を示す説明図である。
【図５】本実施形態による住宅システムの変形例の各構成要素を設置した住宅の間取り例を示す説明図である。
【発明を実施するための形態】
【００１１】
以下、本発明の一実施形態を図面に基づいて説明する。本実施形態による住宅システムの構成例を示すブロック図を図１に示す。同図に示すように、本実施形態による住宅システムは、玄関装置１０、操作ユニット（特許請求の範囲の解錠操作部に該当する）２０、制御装置（特許請求の範囲の制御部に該当する）３０、部屋扉施錠装置４０を備えて構成されている。
【００１２】
また、玄関装置１０は、装置用制御部１１、呼出操作部１２、装置用インターフェース（以下、Ｉ／Ｆとする）部１３、装置用通話部１４、玄関扉施錠装置１５を備えて構成されている。また、操作ユニット２０は、ユニット用制御部２１、ユニット用インターフェース（以下、Ｉ／Ｆとする）部２２、通話部２３、操作部２４を備えて構成されている。また、制御装置３０は、制御装置用制御部３１、記憶部３２、インターフェース（以下、Ｉ／Ｆとする）部３３を備えて構成されている。
【００１３】
図１において、玄関装置１０は、住宅の玄関の扉および玄関の近くに設置されており、外来者が住人を呼び出したり、呼び出された住人からの応答を出力したり、玄関の扉に対して施解錠したりするためのものである。ここで、玄関装置１０の玄関扉施錠装置１５により玄関の扉が施錠されている状態では、外来者は、玄関の扉を開けることができず、住宅の中に入ることができない。一方、玄関装置１０の玄関扉施錠装置１５により玄関の扉が解錠されている状態では、外来者は、玄関の扉を開けることができ、住宅の中に入ることができる。
【００１４】
操作ユニット２０は、住宅の各部屋の中に設置されており、外来者からの呼び出しに対して住人が応答したり、住人が玄関の扉に対して解錠を行ったりするためのものである。ここで、操作ユニット２０は、制御装置３０に伝送線を介して接続されている。また、操作ユニット２０は、住人がどの部屋に居ても外来者からの呼び出しに対して応答したり、玄関の扉に対して解錠を行ったりすることができるように、施錠可能な扉を持つ各部屋に一台以上設置されている。また、操作ユニット２０は、どの操作ユニット２０から操作されたか（換言すると、住人がどの部屋に居るか）を制御装置３０にて特定できるようにするために、ユニット用記憶部（図示せず）に部屋識別情報を予め記憶している。
【００１５】
制御装置３０は、住宅の玄関などに設置されており、操作ユニット２０の操作により玄関装置１０の玄関扉施錠装置１５および部屋扉施錠装置４０の動作を制御するためのものである。ここで、制御装置３０には、玄関装置１０、住宅内の全ての操作ユニット２０および住宅内の全ての部屋扉施錠装置４０が接続されている。
【００１６】
部屋扉施錠装置４０は、住宅の各部屋の扉にそれぞれ設置されており、その扉に対して施解錠するためのものである。ここで、部屋扉施錠装置４０により部屋の扉が施錠されている状態では、外来者は、その部屋扉施錠装置４０が設置されている部屋の扉を開けることができず、部屋の中に入ることができない。一方、部屋扉施錠装置４０により部屋の扉が解錠されている状態では、外来者は、その部屋扉施錠装置４０が設置されている部屋の扉を開けることができ、部屋の中に入ることができる。
【００１７】
図２は、本実施形態による住宅システムの各構成要素を設置した住宅の間取り例を示す図である。同図に示すように、住宅は、玄関Ｅ、玄関扉ＥＤ、廊下、４つの部屋Ｒ１〜Ｒ４（各部屋を区別せずに説明する場合には部屋Ｒとする）、４つの部屋扉Ｄ１〜Ｄ４（各部屋扉を区別せずに説明する場合には部屋扉Ｄとする）、操作ユニット２０を内部に設置している。玄関Ｅには玄関扉ＥＤを設置している。また、住宅の外側の玄関扉ＥＤの近くには、呼出操作部１２、装置用通話部１４を設置している。また、部屋Ｒ１と廊下との間には、部屋扉Ｄ１を設置している。また、部屋Ｒ２と廊下との間には、部屋扉Ｄ２を設置している。また、部屋Ｒ３と廊下との間には、部屋扉Ｄ３を設置している。また、部屋Ｒ１と部屋Ｒ４との間には、部屋扉Ｄ４を設置している。また、各部屋Ｒ１〜Ｒ４には、操作ユニット２０をそれぞれ設置している。
【００１８】
次に、このように設置した玄関装置１０や操作ユニット２０、制御装置３０、部屋扉施錠装置４０の各構成要素を説明する。装置用制御部１１は、玄関装置１０の各構成要素を後述するように制御する。呼出操作部１２は、ボタンなどにより構成されており、住宅内に居る住人を呼び出すために操作されるものである。呼出操作部１２が操作されると、装置用制御部１１は、住宅内に居る住人を呼び出すための呼出信号を生成する。装置用Ｉ／Ｆ部１３は、制御装置３０のＩ／Ｆ部３３を接続しており、装置用制御部１１にて生成された呼出信号を制御装置３０を介して操作ユニット２０へ出力する。
【００１９】
装置用通話部１４は、制御装置３０を介して玄関装置１０と操作ユニット２０との間で通話路が形成された場合に使用されるものであり、外来者の声を入力するためのマイクや住人の声を出力するためのスピーカなどにより構成されている。具体的には、玄関装置１０と操作ユニット２０との間で通話路が形成されると、装置用制御部１１は装置用通話部１４を動作させる。これに伴い、装置用通話部１４は、マイクによる音声の入力およびスピーカによる音声の出力を開始する。
【００２０】
玄関扉施錠装置１５は、玄関扉ＥＤに対して施解錠するためのものである。ここで、玄関扉施錠装置１５は、電気錠などにより構成されている。玄関扉施錠装置１５は、装置用Ｉ／Ｆ部１３が制御装置３０から出力された制御信号を入力すると、玄関扉ＥＤを解錠する。
【００２１】
ユニット用制御部２１は、操作ユニット２０の各成要素を後述するように制御する。ユニット用Ｉ／Ｆ部２２は、制御装置３０のＩ／Ｆ部３３を接続しており、玄関装置１０から出力された呼出信号を入力する。ユニット用Ｉ／Ｆ部２２が呼出信号を入力すると、ユニット用制御部２１は報知部（図示せず）を動作させて、玄関装置１０からの呼び出しを報知させる。その後、住人により操作ユニット２０に設けられた応答操作部（図示せず）が操作されると、ユニット用制御部２１は、玄関装置１０と操作ユニット２０との間で通話路を形成する。
【００２２】
通話部２３は、制御装置３０を介して玄関装置１０と操作ユニット２０との間で通話路が形成された場合に使用されるものであり、住人の声を入力するためのマイクや外来者の声を出力するためのスピーカなどにより構成されている。具体的には、操作ユニット２０と玄関装置１０との間で通話路が形成されると、ユニット用制御部２１は通話部２３を動作させる。これに伴い、通話部２３は、マイクによる音声の入力およびスピーカによる音声の出力を開始する。なお、通話部２３のスピーカと呼び出しを通知するためのスピーカとが共通のものであっても良い。
【００２３】
操作部２４は、ボタンなどにより構成されており、玄関扉ＥＤを解錠するために操作されるものである。住人が外来者との会話などにより外来者を確認し、玄関扉を解錠しても良いと考えた場合、住人は操作部２４を操作する。操作部２４が操作されると、ユニット用制御部２１は、ユニット用記憶部に記憶されている部屋識別情報を取得し、取得した部屋識別情報を含む解錠信号を生成する。ユニット用Ｉ／Ｆ部２２は、ユニット用制御部２１にて生成された解錠信号を制御装置３０へ出力する。ここで、解錠信号とは、玄関扉ＥＤに対して解錠を行うための信号である。また、部屋識別情報は、自装置が設置されている部屋を識別するための情報（例えば、部屋番号など）である。
【００２４】
制御装置用制御部３１は、制御装置３０の各構成要素を後述するように制御する。記憶部３２は、メモリなどの記憶装置により構成されており、操作ユニット２０が操作された部屋Ｒを識別するための部屋識別情報と操作ユニット２０が操作された部屋Ｒに対して解錠すべき部屋扉Ｄを示す解錠扉識別情報と操作ユニット２０が操作された部屋Ｒに対して施錠すべき部屋扉Ｄを示す施錠扉識別情報とを関連付けて予め記憶している。ここで、解錠扉識別情報は、住宅内の全ての部屋扉Ｄのうち、外来者が玄関Ｅから住人の居る部屋Ｒへ向かう際に通るであろう部屋扉Ｄの扉識別情報である。また、施錠扉識別情報は、住宅内の全ての部屋扉Ｄのうち、外来者が玄関Ｅから住人の居る部屋Ｒへ向かう際に通らないであろう部屋扉Ｄの扉識別情報である。
【００２５】
図３は、図２に示す例に基づく記憶部３２の記憶内容例を示す図である。同図に示すように、記憶部３２は、操作された操作ユニット２０が設置されている部屋Ｒを識別するための部屋識別情報を格納する操作部屋領域３２１、解錠すべき部屋扉Ｄの扉識別情報である解錠扉識別情報を格納する解錠扉領域３２２、施錠すべき部屋扉Ｄの扉識別情報である施錠扉識別情報を格納する施錠扉領域３２３を記憶している。操作部屋領域３２１には部屋識別情報として、例えば「Ｒ１」などの情報が格納されている。解錠扉領域３２２には解錠扉識別情報として、例えば「Ｄ１」などの情報が格納されている。施錠扉領域３２３には施錠扉識別情報として、例えば「Ｄ２、Ｄ３、Ｄ４」などの情報が格納されている。ここで、住人などは、部屋識別情報、解錠扉識別情報および施錠扉識別情報を入力部（図示せず）にて入力して記憶部３２に記憶させることで、解錠すべき部屋扉Ｄや施錠すべき部屋扉Ｄを部屋Ｒ毎に登録することができる。
【００２６】
Ｉ／Ｆ部３３が操作ユニット２０から出力された解錠信号を入力すると、制御装置用制御部３１は、入力した解錠信号に含まれる部屋識別情報から解錠信号を出力した操作ユニット２０（換言すると、操作された操作ユニット２０）が設置されている部屋Ｒを特定する。制御装置用制御部３１は、記憶部３２を参照し、取得した部屋識別情報に関連付けられて記憶されている解錠扉識別情報および施錠扉識別情報を取得する。そして、制御装置用制御部３１は扉を解錠することを示す施解錠識別情報を含む制御信号を生成し、Ｉ／Ｆ部３３は玄関扉施錠装置１５および取得した解錠扉識別情報により特定される部屋扉施錠装置４０へ制御装置用制御部３１にて生成した制御信号を出力する。また、制御装置用制御部３１は扉を施錠することを示す施解錠識別情報を含む制御信号を生成し、Ｉ／Ｆ部３３は取得した施錠扉識別情報により特定される部屋扉施錠装置４０へ制御装置用制御部３１にて生成した制御信号を出力する。
【００２７】
部屋扉施錠装置４０は、制御装置３０から出力された制御信号を入力すると、制御信号に含まれる施解錠識別情報が扉を解錠することを示すものであれば部屋扉Ｄを解錠し、扉を解錠することを示すものでなければ（換言すると、施解錠識別情報が扉を施錠することを示すものであれば）部屋扉Ｄを施錠する。
【００２８】
ここで、本実施形態による住宅システムにおいて、図２に示す例に基づいて、操作ユニット２０の操作部２４が操作された際の処理を説明する。また、この例では、住人が部屋Ｒ２に居るものとしている。
【００２９】
まず、住宅を訪れた外来者が玄関装置３０の呼出操作部１２を操作して住人を呼び出す。呼び出しを受けた住人が自身の居る部屋Ｒ２に設置されている操作ユニット２０の応答操作部を操作して呼び出しに応答すると、ユニット用制御部２１は、玄関装置１０と操作ユニット２０との間で通話路を形成して通話部２３を動作させる。また、玄関装置１０の装置用制御部１１は装置用通話部１４を動作させる。住人が外来者との会話などにより外来者を確認し、玄関扉ＥＤを解錠しても良いと判断した場合、住人は、自身の居る部屋Ｒ２に設置されている操作ユニット２０の操作部２４を操作する。操作部２４が操作されると、ユニット用制御部２１は、ユニット用記憶部に記憶されている部屋識別情報（Ｒ２）を取得し、取得した部屋識別情報を含む解錠信号を生成する。そして、ユニット用Ｉ／Ｆ部２２は、ユニット用制御部２１にて生成された解錠信号を制御装置３０へ出力する。
【００３０】
Ｉ／Ｆ部３３が操作ユニット２０から出力された解錠信号を入力すると、制御装置用制御部３１は、記憶部３２を参照し、解錠信号に含まれる部屋識別情報に関連付けて記憶されている解錠扉識別情報（Ｄ２）および施錠扉識別情報（Ｄ１、Ｄ３、Ｄ４）を取得する。そして、制御装置用制御部３１は扉を解錠することを示す施解錠識別情報を含む制御信号を生成し、Ｉ／Ｆ部３３は玄関装置１０および取得した解錠扉識別情報により特定される部屋扉Ｄ２に設置されている部屋扉施錠装置４０へ制御装置用制御部３１にて生成した制御信号を出力する。また、制御装置用制御部３１は扉を施錠することを示す施解錠識別情報を含む制御信号を生成し、Ｉ／Ｆ部３３は取得した施錠扉識別情報により特定される部屋扉Ｄ１、Ｄ３、Ｄ４に設置されている部屋扉施錠装置４０へ制御装置用制御部３１にて生成したそれぞれ制御信号を出力する。
【００３１】
玄関装置１０の玄関扉施錠装置１５は、装置用Ｉ／Ｆ部１３が制御装置３０から出力された制御信号を入力すると、玄関扉ＥＤを解錠する。また、部屋扉Ｄ２に設置されている部屋扉施錠装置４０は、制御装置３０から出力された制御信号を入力すると、入力した制御信号に含まれる施解錠識別情報が扉を解錠することを示すものであるので部屋扉Ｄ２を解錠する。また、部屋扉Ｄ１、Ｄ３、Ｄ４に設置されている設置されている部屋扉施錠装置４０は、制御装置３０から出力された制御信号を入力すると、入力した制御信号に含まれる施解錠識別情報が扉を施錠することを示すものであるので部屋扉Ｄ１、Ｄ３、Ｄ４をそれぞれ施錠する。
【００３２】
部屋扉Ｄ２が解錠され、部屋扉Ｄ１、Ｄ２およびＤ４が施錠されると、図４（ａ）に示すような状態になる。すなわち、外来者は、解錠されている玄関扉ＥＤを開け、玄関Ｅから同図（ａ）中の点線に示すように廊下を通り部屋Ｒ２の部屋扉Ｄ２を開けて、住人の居る部屋Ｒ２の中に入ることができる。また、外来者は、住人の居ない部屋Ｒ１の部屋扉Ｄ１、部屋Ｒ３の部屋扉Ｄ３および部屋Ｒの部屋扉Ｄ４を開けることができないため、部屋Ｒ１、部屋Ｒ３および部屋Ｒ４に入ることができなくなる。
【００３３】
次の例では、住人が部屋Ｒ４に居るものとしている。まず、住宅を訪れた外来者が玄関装置３０の呼出操作部１２を操作して住人を呼び出す。呼び出しを受けた住人が自身の居る部屋Ｒ４に設置されている操作ユニット２０の応答操作部を操作して呼び出しに応答すると、ユニット用制御部２１は、玄関装置１０と操作ユニット２０との間で通話路を形成して通話部２３を動作させる。また、玄関装置１０の装置用制御部１１は装置用通話部１４を動作させる。住人が外来者との会話などにより外来者を確認し、玄関扉ＥＤを解錠しても良いと判断した場合、住人は、自身の居る部屋Ｒ４に設置されている操作ユニット２０の操作部２４を操作する。操作部２４が操作されると、ユニット用制御部２１は、ユニット用記憶部に記憶されている部屋識別情報（Ｒ４）を取得し、取得した部屋識別情報を含む解錠信号を生成する。そして、ユニット用Ｉ／Ｆ部２２は、ユニット用制御部２１にて生成された解錠信号を制御装置３０へ出力する。
【００３４】
Ｉ／Ｆ部３３が操作ユニット２０から出力された解錠信号を入力すると、制御装置用制御部３１は、記憶部３２を参照し、解錠信号に含まれる部屋識別情報に関連付けて記憶されている解錠扉識別情報（Ｄ１、Ｄ４）および施錠扉識別情報（Ｄ２、Ｄ３）を取得する。そして、制御装置用制御部３１は扉を解錠することを示す施解錠識別情報を含む制御信号を生成し、Ｉ／Ｆ部３３は玄関装置１０および取得した解錠扉識別情報により特定される部屋扉Ｄ１、Ｄ４に設置されている部屋扉施錠装置４０へ制御装置用制御部３１にて生成した制御信号を出力する。また、制御装置用制御部３１は扉を施錠することを示す施解錠識別情報を含む制御信号を生成し、Ｉ／Ｆ部３３は取得した施錠扉識別情報により特定される部屋扉Ｄ２、Ｄ３に設置されている部屋扉施錠装置４０へ制御装置用制御部３１にて生成したそれぞれ制御信号を出力する。
【００３５】
玄関装置１０の玄関扉施錠装置１５は、装置用Ｉ／Ｆ部１３が制御装置３０から出力された制御信号を入力すると、玄関扉ＥＤを解錠する。また、部屋扉Ｄ１、Ｄ４に設置されている部屋扉施錠装置４０は、制御装置３０から出力された制御信号を入力すると、入力した制御信号に含まれる施解錠識別情報が扉を解錠することを示すものであるので部屋扉Ｄ１、Ｄ４を解錠する。また、部屋扉Ｄ２、Ｄ３に設置されている部屋扉施錠装置４０は、制御装置３０から出力された制御信号を入力すると、入力した制御信号に含まれる施解錠識別情報が扉を解錠することを示すものであるので部屋扉Ｄ２、Ｄ３を施錠する。
【００３６】
部屋扉Ｄ１およびＤ４が解錠され、部屋扉Ｄ２およびＤ３が施錠されると、図４（ｂ）に示すような状態になる。すなわち、外来者は、解錠されている玄関扉ＥＤを開け、玄関Ｅから同図（ｂ）中の点線に示すように廊下を通り部屋Ｒ１の部屋扉Ｄ１を開けて部屋Ｒ１に入る。さらに、外来者は、同図（ｂ）中の点線に示すように部屋Ｒ１を通り、部屋Ｒ４の部屋扉Ｄ４を開けて住人の居る部屋Ｒ４の中に入ることができる。また、外来者は、住人の居ない部屋Ｒ２の部屋扉Ｄ２および部屋Ｒ３の部屋扉Ｄ３を開けることができないため、部屋Ｒ２および部屋Ｒ３に入ることができなくなる。
【００３７】
以上、詳しく説明したように、本実施形態の住宅システムでは、住人が自身の居る部屋Ｒに設置されている操作ユニット２０の操作部２４を操作すると、操作ユニット２０は、住人が居る部屋Ｒの部屋識別情報を含む解錠信号を生成して制御装置３０へ出力する。制御装置３０が解錠信号を入力すると、解錠信号に含まれる部屋識別情報に関連付けて記憶部３２に記憶されている解錠扉識別情報および施錠扉識別情報を取得する。制御装置３０は、扉を解錠することを示す施解錠識別情報を含む制御信号を、玄関扉施錠装置１５および取得した解錠扉識別情報により特定される部屋扉施錠装置４０へ出力する。また、制御装置３０は、扉を施錠することを示す施解錠識別情報を含む制御信号を、取得した施錠扉識別情報により特定される部屋扉施錠装置４０へ出力する。制御装置３０から出力された制御信号を入力した玄関扉施錠装置１５は玄関扉ＥＤを解錠する。また、部屋扉施錠装置４０は、入力した制御信号に含まれる施解錠識別情報が扉を解錠することを示すものであれば部屋扉Ｄを解錠し、解錠することを示すものでなければ部屋扉Ｄを施錠する。
【００３８】
これにより、玄関扉ＥＤを解錠するための解錠操作が操作ユニット２０にて行われると、玄関扉ＥＤから操作ユニット２０が操作された部屋Ｒまでに外来者が通るであろう部屋Ｒの部屋扉Ｄが解錠される。このことから、住宅を訪れた外来者は、玄関Ｅから目的地である住人の居る部屋Ｒまでを通る際に施錠された部屋扉Ｄに阻まれることがなくなる。従って、外来者は住宅に居る住人に会うことができる。また、玄関扉ＥＤから操作ユニット２０が操作された部屋Ｒまでに外来者が通る必要のない部屋Ｒの部屋扉Ｄが施錠される。このことから、住宅を訪れた外来者は、玄関Ｅから目的地である住人の居る部屋Ｒに向かう際に、入る必要のない部屋扉Ｄを開けることができないため、その部屋Ｒに入ることができなくなる。従って、住宅のセキュリティの向上を図ることができる。
【００３９】
なお、前述した実施形態では、通話部２３を操作ユニット２０に設け、呼出操作部１２、装置用通話部１４を玄関装置１０に設けることで、玄関Ｅ付近に居る外来者と部屋Ｒに居る住人とが通話するための通話手段を住宅システムに備えているが、これに限定されない。住宅システムは、通話手段を備えなくても良い。
【００４０】
また、前述した実施形態では、通話部２３を操作ユニット２０に設け、呼出操作部１２、装置用通話部１４を玄関装置１０に設けることで、玄関Ｅ付近に居る外来者と部屋Ｒに居る住人とが通話するための通話手段を住宅システムに備えているが、これに限定されない。例えば、カメラなどの撮影装置を玄関装置１０に設け、その撮影装置にて撮影された画像を出力するためのディスプレイなどの表示部を操作ユニット２０に設けることで、部屋Ｒに居る住人が玄関Ｅ付近に居る外来者を確認するための確認手段を住宅システムに備えるようにしても良い。
【００４１】
また、前述した実施形態では、操作ユニット２０が操作された部屋Ｒに対して解錠すべき部屋扉Ｄの扉識別情報を記憶部３２の解錠扉領域３２２に格納し、操作ユニット２０が操作された部屋Ｒに対して施錠すべき部屋扉Ｄの扉識別情報を記憶部３２の施錠扉領域３２３に格納しているが、これに限定されない。例えば、操作ユニット２０が操作された部屋Ｒに対して解錠すべき部屋扉Ｄが設置されている部屋Ｒを示す部屋識別情報を記憶部３２の解錠扉領域３２２に格納し、操作ユニット２０が操作された部屋Ｒに対して施錠すべき部屋扉Ｄが設置されている部屋Ｒを示す部屋識別情報を記憶部３２の施錠扉領域３２３に格納するようにしても良い。
【００４２】
また、前述した実施形態では、操作ユニット２０は、伝送線を介して制御装置３０へ解錠信号を出力しているが、これに限定されない。例えば、操作ユニット２０は、無線を介して解錠信号を送信するようにしても良い。この場合、解錠信号を受信するための受信機を各部屋に設置し、受信機が伝送線を介して制御装置３０に接続されるようにする。また、解錠信号を受信した受信機を制御装置３０にて識別することができるように、受信機に部屋識別情報を予め記憶しておき、受信機は、自装置に記憶された部屋識別情報を解錠信号に含ませて制御装置３０へ出力するようにする。
【００４３】
また、前述した実施形態では、制御装置３０は、入力した解錠信号に含まれる部屋識別情報に関連付けて記憶部３２に記憶されている解錠扉識別情報および施錠扉識別情報を取得し、取得した情報から部屋扉施錠装置４０を特定して部屋扉Ｄを解錠させたり施錠させたりしているが、これに限定されない。例えば、外来者が玄関Ｅから住人の居る部屋Ｒへ向かう際に通るであろうルートと、制御装置３０に対して接続されている操作ユニット２０の接続ルートとを共通するようにしても良い。
【００４４】
具体的には、図５に示すように各構成要素を住宅に設置する。すなわち、各部屋Ｒに設置されている操作ユニット２０は、玄関Ｅから各部屋Ｒまでのルートに沿って部屋扉Ｄの近辺に設置されている。また、操作ユニット２０は、部屋扉Ｄの部屋扉施錠装置４０を介して玄関Ｅの近くに設置した制御装置３０に接続されている。これにより、操作ユニット２０から出力された解錠信号は、部屋扉施錠装置４０を介して制御装置３０へ出力されるようになる。ここで、本変形例では、制御装置３０にて解錠信号を出力した操作ユニット２０を特定する必要がないため、解錠信号に部屋識別情報を含む必要がない。
【００４５】
部屋扉施錠装置４０は、操作ユニット２０から出力された解錠信号を入力すると、制御装置３０へ解錠信号を出力する。また、制御装置３０のＩ／Ｆ部３３は、部屋扉施錠装置４０を介して解錠信号を入力すると、玄関装置１０および住宅内の全ての部屋扉施錠装置４０へ制御装置用制御部３１にて生成した制御信号を出力する。ここで、本変形例では、部屋扉施錠装置４０にて施解錠識別情報により部屋扉Ｄを解錠するか否かの判定処理を実行する必要がないため、制御信号に施解錠識別情報を含む必要がない。
【００４６】
また、玄関扉施錠装置１５は、装置用Ｉ／Ｆ部１３が制御装置３０から出力された制御信号を入力すると、玄関扉ＥＤを解錠する。また、部屋扉施錠装置４０は、制御装置３０から出力された制御信号を入力すると、操作ユニット２０から出力された解錠信号を入力したか否かを判定する。解錠信号を入力した場合、部屋扉施錠装置４０は部屋扉Ｄを解錠する。一方、解錠信号を入力していない（換言すると、制御信号のみを入力した）場合、部屋扉施錠装置４０は部屋扉Ｄを施錠する。
【００４７】
これにより、解錠信号を入力した部屋扉施錠装置４０が設置されている部屋扉Ｄは、外来者が玄関Ｅから住人の居る部屋Ｒへ向かう際に通るであろうルート上に設置されている部屋扉Ｄとして解錠される。一方、解錠信号を入力していない部屋扉施錠装置４０が設置されている部屋扉Ｄは、外来者が玄関Ｅから住人の居る部屋Ｒへ向かう際に通るであろうルート上に設置されていない部屋扉Ｄとして施錠される。このことから、外来者が玄関Ｅから住人の居る部屋Ｒへ向かう際に通るであろうルートと、制御装置３０に対して接続されている操作ユニット２０の接続ルートとを共通するようにすることで、操作された操作ユニット２０、解錠する部屋扉Ｄおよび施錠する部屋扉Ｄを制御装置３０が特定する必要がなくなる。従って、住人などは、解錠すべき部屋扉Ｄや施錠すべき部屋扉Ｄを部屋Ｒ毎に登録する必要がなくなる。
【００４８】
その他、住宅システムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００４９】
１０    玄関装置
１１    装置用制御部
１２    呼出操作部
１３    装置用インターフェース（Ｉ／Ｆ）部
１４    装置用通話部
１５    玄関扉施錠装置
２０    操作ユニット
２１    ユニット用制御部
２２    ユニット用インターフェース（Ｉ／Ｆ）部
２３    通話部
２４    操作部
３０    制御装置
３１    制御装置用制御部
３２    記憶部
３２１    操作部屋領域
３２２    解錠扉領域
３２３    施錠扉領域
３３    インターフェース（Ｉ／Ｆ）部
４０    部屋扉施錠装置
Ｅ    玄関
ＥＤ    玄関扉
Ｒ（Ｒ１〜Ｒ４）    部屋
Ｄ（Ｄ１〜Ｄ４）    部屋扉
【図１】
2011032711.tif 000003
【図２】
2011032711.tif 000004
【図３】
2011032711.tif 000005
【図４】
2011032711.tif 000006
【図５】
2011032711.tif 000007